(57)【要約】【課題】  汚れ防止や防水や損傷防止効果を有する保護カバーを備えた旅行かばんを提供する。【解決手段】  一側に伸縮可能なハンドル１４が設けられると共に、同側に少なくとも一つの物入れ部１２と複数のホイールが設けられるかばん本体１０を有し、その一つの物入れ部１２内に分離可能な保護カバー２０が設けられ、該保護カバー２０は、柔軟性を有するプラスチックからなる開口を有する袋体であり、該保護カバーにかばん本体１０のハンドル１４に対応するハンドル孔２２が形成され、内側と物入れ部１２との間に結合部材３０設けられ、該保護カバー２０の開口縁とかばん本体との間に位置決め部材４０が設けられることを特徴とする。【選択図】  図１
0003114834.tif 000002
【実用新案登録請求の範囲】
【請求項１】
一側に伸縮可能なハンドルが設けられると共に、同側に少なくとも一つの物入れ部と複数のホイールが設けられるかばん本体を有し、その一つの物入れ部内に分離可能な保護カバーが設けられ、該保護カバーは、柔軟性を有するプラスチックからなる開口を有する袋体であり、該保護カバーにかばん本体のハンドルに対応するハンドル孔が形成され、内側と物入れ部との間に結合部材が設けられ、該保護カバーの開口縁とかばん本体との間に位置決め部材が設けられることを特徴とする保護カバーを備えた旅行かばん。
【請求項２】
前記位置決め部材は、保護カバーの開口縁に設けられる弾性ロープと、かばん本体の下部に設けられる少なくとも一つの掛止ブロックを備え、該弾性ロープに少なくとも一つのプルプレートが設けられ、該保護カバーの開口縁に伸縮バンドが設けられることを特徴とする請求項１に記載の保護カバーを備えた旅行かばん。
【請求項３】
前記かばん本体に把手が設けられ、該保護カバーにかばん本体の把手に対応する貫通孔が形成されることを特徴とする請求項１又は２に記載の保護カバーを備えた旅行かばん。
【考案の詳細な説明】
【技術分野】
【０００１】
本考案は、特に、汚れ防止や、防水、損傷防止などの効果を有する保護カバーを備えた旅行かばんに関するものである。
【背景技術】
【０００２】
図５に示すように、旅行時によく使用されるタイプの従来の旅行かばんは、かばん本体６０を有し、該かばん本体６０の一側に伸縮可能なハンドル６２が設けられると共に、下側にホイール（符号なし）が設けられる。
【考案の開示】
【考案が解決しようとする課題】
【０００３】
しかしながら、前記従来の旅行かばんは布やプラスチックによって縫製或いは成形されているが、防水効果がないので、悪天候の降雨によって、旅行かばんの内部に収納した服が濡れてしまう恐れがある。又、高価な旅行かばんを持ち運んでいる最中などに衝撃を受けたりすると、外側表面を損傷してしまったりして、高価な旅行かばんの価値を下げてしまう。
【０００４】
そこで、案出されたのが本考案であって、汚損防止や、防水や、損傷防止の効果を有する保護カバーを備えた旅行かばんを提供することを目的としている。
【課題を解決するための手段】
【０００５】
本願の請求項１の考案は、一側に伸縮可能なハンドルが設けられると共に、同側に少なくとも一つの物入れ部と複数のホイールが設けられるかばん本体を有し、その一つの物入れ部内に分離可能な保護カバーが設けられ、該保護カバーは、柔軟性を有するプラスチックからなる開口を有する袋体であり、該保護カバーにかばん本体のハンドルに対応するハンドル孔が形成され、内側と物入れ部との間に結合部材が設けられ、該保護カバーの開口縁とかばん本体との間に位置決め部材が設けられることを特徴とする。
【０００６】
請求項２の考案は、請求項１に記載の保護カバーを備えた旅行かばんにおいて、前記位置決め部材は、保護カバーの開口縁に設けられる弾性ロープと、かばん本体の下部に設けられる少なくとも一つの掛止ブロックを備え、該弾性ロープに少なくとも一つのプルプレートが設けられ、該保護カバーの開口縁に伸縮バンドが設けられることを特徴とする。
【０００７】
請求項３の考案は、請求項１または２に記載の保護カバーを備えた旅行かばんにおいて、前記かばん本体に把手が設けられ、該保護カバーにかばん本体の把手に対応する貫通孔が形成されることを特徴とする。
【考案の効果】
【０００８】
本考案は上記の課題を解決するものであり、一側に伸縮可能なハンドルが設けられると共に、同側に少なくとも一つの物入れ部と複数のホイールが設けられるかばん本体を有し、その一つの物入れ部内に分離可能な保護カバーが設けられ、該保護カバーにかばん本体のハンドルに対応するハンドル孔が形成され、内側と物入れ部との間に結合部材が設けられることにより、保護カバーを確実にかばん本体に装着しておくことができ、保護カバーの使用によって確実にかばん本体を覆い、汚れ防止や、防水機能を発揮することができ、また、荷物として預けてかばん本体表面に損傷を受け易い状況下に置かれている場合などは、表面をカバーすることで損傷防止機能を発揮することが出来る。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係る保護カバーを備えた旅行かばんの第１実施例を示す斜視図であり、図２は本考案に係る保護カバーを備えた旅行かばんの使用状態を示す斜視図であり、図３は本考案に係る保護カバーを備えた旅行かばんの一部斜視図である。
【００１１】
図１に示すように、本考案に係る保護カバーを備えた旅行かばんは、一側に伸縮可能なハンドル１４が設けられると共に、同側に少なくとも一つの物入れ部１２と複数のホイール（符号なし）が設けられたかばん本体１０を有し、その一つの物入れ部１２内に分離可能な保護カバー２０が設けられる。該保護カバー２０は、柔軟なプラスチック繊維により形成された開口を有する袋体である。
前記保護カバー２０には、かばん本体１０のハンドル１４に対応するハンドル孔２２が形成されると共に、前記保護カバー２０の内側と物入れ部１２との間に結合部材３０が配設されている。前記結合部材３０は、ファスナー、面ファスナー、或いはボタンなどで構成される。
【００１２】
前記保護カバー２０を使用しない場合には、物入れ部１２内に簡単に収納することができ、又、物入れ部１２と保護カバー２０との間に結合部材３０が設けられるので、保護カバー２０の紛失問題を防止できる。
【００１３】
図１及び図２に示すように、前記保護カバー２０を使用する場合、先ず保護カバー２０を物入れ部１２内から取り出し、該保護カバー２０によってかばん本体１０を覆うと共に、ハンドル１４をハンドル孔２２から露出させるだけでよい。
【００１４】
又、保護カバー２０が汚れた時には、かばん本体１０の物入れ部１２から簡単に取り外してクリーニングすることができるので、清潔な保護カバー２０を維持することができる。
【００１５】
又、図２及び図３に示すように、前記保護カバー２０の開口縁とかばん本体１０との間に位置決め部材４０が設けられてもよく、該位置決め部材４０は、保護カバー２０の開口縁に設けられる弾性ロープ４２と、かばん本体１０の下部に設けられる少なくとも一つの掛止ブロック４４を備え、保護カバー２０をかばん本体１０に被せる際、弾性ロープ４２を掛止ブロック４４に掛止することにより、保護カバー２０とかばん本体１０の位置決め効果を向上することができる。又、前記弾性ロープ４２に少なくとも一つのプルプレート４３が設けられることにより、弾性ロープ４２を簡単に引っ張ることができる。
【００１６】
又、前記位置決め部材４０は、例えば保護カバー２０とかばん本体１０との間に設けられるファスナー、面ファスナー、又はボタンでもよく、又、保護カバー２０の開口縁に伸縮バンド２４が設けられることにより、保護カバー２０とかばん本体１０の結合効果を向上することが出来る。
【実施例２】
【００１７】
図４は本考案に係る保護カバーを備えた旅行かばんの第２実施例を示す斜視図である。
図４に示す保護カバー２０’の構成は前述の第１実施例と殆んど同様であり、異なる点は、前記保護カバー２０’にかばん本体１０における把手１６に対応する貫通孔２６を形成したもので、把手１６を該貫通孔２６から露出することができる構成としたものである。
なお、前述以外の構成は、第１実施例と同様なので、その詳細は省略する。
【産業上の利用可能性】
【００１８】
本考案は上記の構成を有するので、一側に伸縮可能なハンドルが設けられると共に、同側に少なくとも一つの物入れ部と複数のホイールが設けられるかばん本体を有し、その一つの物入れ部内に分離可能な保護カバーが設けられ、該保護カバーにかばん本体のハンドルに対応するハンドル孔が形成され、内側と物入れ部との間に結合部材が設けられることにより、汚れ防止や防水や損傷防止効果を有する。
【図面の簡単な説明】
【００１９】
【図１】本考案に係る保護カバーを含む旅行かばんの斜視図である。
【図２】本考案に係る保護カバーを含む旅行かばんの使用状態を示す斜視図である。
【図３】本考案に係る保護カバーを含む旅行かばんの一部斜視図である。
【図４】本考案に係る保護カバーを含む旅行かばんの他の実施例を示す斜視図である。
【図５】従来の旅行かばんの斜視図である。
【符号の説明】
【００２０】
１０        かばん本体
１２        物入れ部
１４        ハンドル
１６        把手
２０        保護カバー
２０’      保護カバー
２２        ハンドル孔
２４        伸縮バンド
２６        貫通孔
３０        結合部材
４０        位置決め部材
４２        弾性ロープ
４３        プルプレート
４４        掛止ブロック
６０        かばん本体
６２        ハンドル
【図１】
0003114834.tif 000003
【図２】
0003114834.tif 000004
【図３】
0003114834.tif 000005
【図４】
0003114834.tif 000006
【図５】
0003114834.tif 000007